(57)【要約】【課題】  製造コストを抑えることができ、運搬や保管が容易になる組み立て式簡易浴槽を構成可能な組み立て式簡易浴槽用枠体、組み立て式簡易浴槽、組み立て式簡易貯液槽用枠体、組み立て式簡易貯液槽、それらの枠体を構成可能な分割枠体、及び分割枠体の製造方法を提供する。【解決手段】  この組み立て式簡易浴槽用枠体は、その外周上面に設けられた嵌合部１３を備えて組み立て式簡易浴槽を構成可能な枠体であって、枠体の嵌合部と嵌合部材とが分離可能な嵌合構造により嵌合したとき、枠体と嵌合部材との間に配置された防水シートが嵌合構造により固定され枠体と一体になって浴槽部を構成可能であり、枠体は少なくとも２つの分割枠体１，２から構成され、各分割枠体が分離可能な分割嵌合構造１１，１２により嵌合することで接合され一体化される。【選択図】  図１
2006043441.tif 000002
【特許請求の範囲】
【請求項１】
その外周上面に設けられた嵌合部を備えて組み立て式簡易浴槽を構成可能な枠体であって、
前記枠体の嵌合部と嵌合部材とが分離可能な嵌合構造により嵌合したとき、前記枠体と前記嵌合部材との間に配置された防水シートが前記嵌合構造により固定され前記枠体と一体になって浴槽部を構成可能であり、
前記枠体は少なくとも２つの分割枠体から構成され、前記各分割枠体が分離可能な分割嵌合構造により嵌合することで接合され一体化することを特徴とする組み立て式簡易浴槽用枠体。
【請求項２】
前記分割嵌合構造を前記分割枠体の各接合部において凹凸による凹凸嵌合構造に構成したことを特徴とする請求項１に記載の組み立て式簡易浴槽用枠体。
【請求項３】
前記分割枠体の両端における接合部を一端が凹部であり他端が凸部であるように構成したことを特徴とする請求項１または２に記載の組み立て式簡易浴槽用枠体。
【請求項４】
前記枠体と同一に構成された前記嵌合部材と前記枠体を上下に重ねて組み立てるとき、それらの接合部が上下の前記嵌合構造及び前記分割嵌合構造により一体化されるように構成されていることを特徴とする請求項１，２または３に記載の組み立て式簡易浴槽用枠体。
【請求項５】
前記嵌合部材と前記枠体を上下に重ねて組み立てるとき、前記分割嵌合構造により一体化される前記接合部の位置が前記上下でずれるように構成されていることを特徴とする請求項４に記載の組み立て式簡易浴槽用枠体。
【請求項６】
前記枠体は、コーナ部を含むコーナ分割枠体から構成されていることを特徴とする請求項１乃至５のいずれか１項に記載の組み立て式簡易浴槽用枠体。
【請求項７】
前記枠体は、更に直線状に延びる直線分割枠体を含んで構成されていることを特徴とする請求項６に記載の組み立て式簡易浴槽用枠体。
【請求項８】
前記枠体は、前記直線分割枠体の追加または削除によりサイズが可変であることを特徴とする請求項７に記載の組み立て式簡易浴槽用枠体。
【請求項９】
前記分割枠体の少なくとも１つは成形により発泡樹脂から形成されたことを特徴とする請求項１乃至８のいずれか１項に記載の組み立て式簡易浴槽用枠体。
【請求項１０】
前記分割枠体の少なくとも１つはその表面部分が樹脂と一体に形成されていることを特徴とする請求項１乃至９のいずれか１項に記載の組み立て式簡易浴槽用枠体。
【請求項１１】
前記分割枠体は樹脂から形成され、内部が空洞である中空構造であることを特徴とする請求項１乃至８のいずれか１項に記載の組み立て式簡易浴槽用枠体。
【請求項１２】
前記分割枠体の表面の少なくとも一部に樹脂からなる嵌め込み部材を設けたことを特徴とする請求項１乃至１１のいずれか１項に記載の組み立て式簡易浴槽用枠体。
【請求項１３】
請求項１乃至１２のいずれか１項に記載の組み立て式簡易浴槽用枠体を用いて前記防水シートが前記嵌合構造により固定されて前記枠体及び前記嵌合部材と一体になって浴槽部を構成することを特徴とする組み立て式簡易浴槽。
【請求項１４】
前記嵌合部材を前記枠体の外周に沿ってほぼ一周するようなリング形状に構成することを特徴とする請求項１３に記載の組み立て式簡易浴槽。
【請求項１５】
前記分割枠体の両端における接合部を互いが平面的に突き当たる平面状に構成するとともに、前記枠体の嵌合部及びその反対側の下面を前記リング形状の嵌合部材が嵌合可能な凹状にそれぞれ構成したことを特徴とする請求項１４に記載の組み立て式簡易浴槽。
【請求項１６】
前記枠体と同一に構成された前記嵌合部材の外周上面に設けられた嵌合部または前記リング形状の嵌合部材に浴槽機能を補完するための補完部材を着脱可能に構成したことを特徴とする請求項１３，１４または１５に記載の組み立て式簡易浴槽。
【請求項１７】
凸状の嵌合部が外周上面に設けられ凹状の嵌合部が外周下面に設けられた第１の枠体と、凸状の嵌合部が外周上面に設けられ凹状の嵌合部が外周下面に設けられかつ前記第１の枠体の上部に位置する第２の枠体と、前記第１の枠体全体を覆うように前記第１の枠体と前記第２の枠体との間に配置され、前記第１の枠体の凸状の嵌合部と前記第２の枠体の凹状の嵌合部とが嵌合することで固定される防水シートと、を備える組み立て式簡易浴槽であって、
前記第２の枠体の外周上面に設けられた凸状の嵌合部に浴槽機能を補完するための補完部材を着脱可能に構成したことを特徴とする組み立て式簡易浴槽。
【請求項１８】
その外周上面に設けられた嵌合部を備えて人体が収まる程度の組み立て式簡易貯液槽を構成可能な枠体であって、
前記枠体の嵌合部と嵌合部材とが分離可能な嵌合構造により嵌合したとき、前記枠体と前記嵌合部材との間に配置された防水シートが前記嵌合構造により固定され前記枠体と一体になって貯液可能な貯液部を構成可能であり、
前記枠体は少なくとも２つの分割枠体から構成され、前記各分割枠体が分離可能な分割嵌合構造により嵌合することで接合され一体化することを特徴とする組み立て式簡易貯液槽用枠体。
【請求項１９】
請求項１８に記載の組み立て式簡易貯液槽用枠体から第１の枠体と第２の枠体を構成し、
前記第１の枠体の上に前記防水シートを被せ前記第２の枠体を前記嵌合部材として前記嵌合構造により前記防水シートを固定することで前記貯液部を構成したことを特徴とする組み立て式簡易貯液槽。
【請求項２０】
請求項１８に記載の組み立て式簡易貯液槽用枠体を用いて前記防水シートが前記嵌合構造により固定されて前記枠体及び前記嵌合部材と一体になって貯液部を構成することを特徴とする組み立て式簡易貯液槽。
【請求項２１】
請求項１乃至１２のいずれか１項に記載の組み立て式簡易浴槽用枠体または請求項１８に記載の組み立て式簡易貯液槽用枠体を構成可能な前記分割枠体のいずれかである分割枠体。
【請求項２２】
表面にコーティング処理を施した請求項２１に記載の分割枠体。
【請求項２３】
請求項１乃至１０，１２のいずれか１項に記載の組み立て式簡易浴槽用枠体の前記分割枠体または請求項１８に記載の組み立て式簡易貯液槽用枠体の前記分割枠体を成形により発泡樹脂から形成することを特徴とする分割枠体の製造方法。
【請求項２４】
請求項１乃至１２のいずれか１項に記載の組み立て式簡易浴槽用枠体または請求項１８に記載の組み立て式簡易貯液槽用枠体の前記分割枠体を成形金型同時成形によりその表面部分が樹脂と一体に形成されるように成形することを特徴とする分割枠体の製造方法。
【発明の詳細な説明】
【技術分野】
【０００１】
本発明は、防水シートを枠体で固定して浴槽部を構成する組み立て式簡易浴槽、組み立て式簡易浴槽用枠体、組み立て式簡易貯液槽用枠体、組み立て式簡易貯液槽、それらの枠体を構成可能な分割枠体及び分割枠体の製造方法に関するものである。
【背景技術】
【０００２】
本発明者は先に下記特許文献１において介護の必要な人の入浴等に好適な組み立て式簡易浴槽を提案した。この簡易浴槽は、図２０（ａ），（ｂ），（ｃ）のように、防水シート３３と枠体３２と枠体３１とで構成され、枠体３１はその外周上面３１ａに凸状の嵌合部３５と、その外周下面３１ｂに凹状の嵌合部３６とを備え、また、枠体３２はその外周上面３２ａに凸状の嵌合部３７と、その外周下面３２ｂに凹状の嵌合部３８とを備え、枠体３１、３２は同じ形状、同じ大きさで構成されている。防水シート３３の周囲を枠体３２の外周上面３２ａを覆うように位置決め、枠体３２の凸状の嵌合部３７と枠体３１の凹状の嵌合部３６とが嵌合することで、防水シート３３の周囲を枠体３２の嵌合部３７と枠体３１の嵌合部３６との間に挟み込み、固定する。この嵌合部３６と嵌合部３７との嵌合により、防水シート３３は枠体３２に強固に固定されることで、防水シート３３と枠体３１、３２が一体に組み立てられ浴槽が形成される。
【０００３】
上述の簡易浴槽は、使用前に組み立て、使用後に分解できるので、例えば、介護サービス者が被介護者の自宅を訪れて行う入浴サービスに用いて好適である。しかし、図のような枠体３１，３２を製造するには、枠体は人体が収まる程度の大きさが必要であるので、金型等が大型化し製造コストが上昇し、また、運搬や保管がし難いといった問題点があった。
【特許文献１】特開２００３−１０２７８号公報
【発明の開示】
【発明が解決しようとする課題】
【０００４】
本発明は、上述のような従来技術の問題に鑑み、製造コストを抑えることができ、運搬や保管が容易になる組み立て式簡易浴槽を構成可能な組み立て式簡易浴槽用枠体、組み立て式簡易貯液槽用枠体、組み立て式簡易浴槽、組み立て式簡易貯液槽、それらの枠体を構成可能な分割枠体及び分割枠体の製造方法を提供することを目的とする。
【課題を解決するための手段】
【０００５】
上記目的を達成するために、本発明による組み立て式簡易浴槽用枠体は、その外周上面に設けられた嵌合部を備えて組み立て式簡易浴槽を構成可能な枠体であって、前記枠体の嵌合部と嵌合部材とが分離可能な嵌合構造により嵌合したとき、前記枠体と前記嵌合部材との間に配置された防水シートが前記嵌合構造により固定され前記枠体と一体になって浴槽部を構成可能であり、前記枠体は少なくとも２つの分割枠体から構成され、前記各分割枠体が分離可能な分割嵌合構造により嵌合することで接合され一体化することを特徴とする。
【０００６】
この組み立て式簡易浴槽用枠体によれば、枠体を分離可能な分割嵌合構造で少なくとも２つの分割枠体から組み立てることができるので、浴槽の使用時に組み立て、運搬や保管のような非使用時には分割できる。このように組み立て式簡易浴槽用枠体を小さく分割できるので、成形金型が大型化せずに組み立て式簡易浴槽用枠体の製造コストを抑えることができ、また、枠体の運搬や保管のスペースが節約でき、運搬や保管が容易になる。
【０００７】
上記組み立て式簡易浴槽用枠体において前記分割嵌合構造を前記分割枠体の各接合部において凹凸による凹凸嵌合構造に構成することで、分割枠体から凹凸嵌合により強固に枠体を組み立てることができる。
【０００８】
また、前記分割枠体の両端における接合部を一端が凹部であり他端が凸部であるように構成することで各分割枠体をより少ない成形金型で製造できる。このため、枠体の製造コストを抑えることができる。
【０００９】
また、前記枠体と同一に構成された前記嵌合部材と前記枠体を上下に重ねて組み立てるとき、それらの接合部が上下の前記嵌合構造及び前記分割嵌合構造により一体化されるように構成できる。
【００１０】
この場合、前記嵌合部材と前記枠体を上下に重ねて組み立てるとき、前記分割嵌合構造により一体化される前記接合部の位置が前記上下でずれるように構成されることで、接合部が上下でずれて同じ位置にならないので、組み立てられた簡易浴槽において強度を大きくできる。
【００１１】
また、前記枠体はコーナ部を含むコーナ分割枠体から構成できる。この場合、前記枠体は、更に直線状に延びる直線分割枠体を含んで構成できる。前記枠体は、前記直線分割枠体の追加または削除によりサイズが可変であるように構成することで、分割枠体の組み合わせを変えることで、入浴者の体型に応じて組み立て式簡易浴槽用枠体の幅・長さのサイズを調整可能である。また、４分割等のように分割することで、２分割の場合よりも成形金型を小さく構成できるとともに、各分割枠体を例えば４分割の場合には２つの成形金型により製造できるので、枠体の製造コストを抑えることができる。
【００１２】
また、前記分割枠体は成形により発泡樹脂から形成されることが好ましい。また、前記分割枠体はその表面部分が樹脂と一体に形成されている場合には、枠体表面に特別なコーティングが不要となる。
【００１３】
また、前記分割枠体は樹脂から形成され内部が空洞である中空構造であることで、軽量化及び樹脂材料の節約を図ることができる。
【００１４】
また、前記分割枠体の表面の少なくとも一部に樹脂からなる嵌め込み部材を設けることで、枠体表面に特別なコーティングが不要となり、また、凹凸嵌合構造の精度をより高めることができる。
【００１５】
本発明による組み立て式簡易浴槽は、上述の組み立て式簡易浴槽用枠体を用いて前記防水シートが前記嵌合構造により固定されて前記枠体及び前記嵌合部材と一体になって浴槽部を構成することを特徴とする。
【００１６】
この組み立て式簡易浴槽によれば、組み立て式簡易浴槽用枠体を小さく分割でき、成形金型が大型化せずに組み立て式簡易浴槽用枠体の製造コストを抑えることができるので、組み立て式簡易浴槽のコスト減を実現でき、また、枠体の運搬や保管のスペースが節約できるので、運搬や保管が容易になる。
【００１７】
上記組み立て式簡易浴槽において前記嵌合部材を前記枠体の外周に沿ってほぼ一周するようなリング形状に構成することができる。これにより、上記分割枠体からなる２つの枠体をリング形状の嵌合部材で一体にして簡易浴槽を構成でき、また、１つの枠体とリング形状の嵌合部材とで簡易浴槽を構成可能となる。なお、リング形状の嵌合部材を２つまたは２つ以上に分割してもよい。
【００１８】
また、前記分割枠体の両端における接合部を互いが平面的に突き当たる平面状に構成するとともに、前記枠体の嵌合部及びその反対側の下面を前記リング形状の嵌合部材が嵌合可能な凹状にそれぞれ構成することで、上記分割嵌合構造を凹凸嵌合構造ではなく、分割枠体の両端の接合部を平面状に構成し、リング形状の嵌合部材を枠体の上下の凹状の嵌合部に嵌合させることで、簡単な構造となり、枠体の金型構造が簡単になる。
【００１９】
上記組み立て式簡易浴槽において前記枠体と同一に構成された前記嵌合部材の外周上面に設けられた嵌合部または前記リング形状の嵌合部材に浴槽機能を補完するための補完部材を着脱可能に構成することが好ましい。上記補完部材として、例えば、給湯・給水・排水ホースの取り付け用アダプタ、シャワーノズル取り付け用アダプタ、ヘッドレスト （ピロー）、アームレスト、フットレスト、手すり・ステップ等の支持具、タンカ固定器具等があるが、かかる補完部材は枠体の外周上面の嵌合部に対し着脱自在であるので、補完部材を必要に応じて自由に使用できる。また、組み立て式簡易浴槽用枠体の構造が複雑にならないので、成形金型も複雑にならず製造コストも嵩まない。
【００２０】
本発明による組み立て式簡易浴槽は、凸状の嵌合部が外周上面に設けられ凹状の嵌合部が外周下面に設けられた第１の枠体と、凸状の嵌合部が外周上面に設けられ凹状の嵌合部が外周下面に設けられかつ前記第１の枠体の上部に位置する第２の枠体と、前記第１の枠体全体を覆うように前記第１の枠体と前記第２の枠体との間に配置され、前記第１の枠体の凸状の嵌合部と前記第２の枠体の凹状の嵌合部とが嵌合することで固定される防水シートと、を備える組み立て式簡易浴槽であって、前記第２の枠体の外周上面に設けられた凸状の嵌合部に浴槽機能を補完するための補完部材を着脱可能に構成したことを特徴とする。
【００２１】
この組み立て式簡易浴槽によれば、補完部材は枠体の外周上面の嵌合部に対し着脱自在であるので、補完部材を必要に応じて自由に使用できる。また、組み立て式簡易浴槽用枠体の構造が複雑にならないので、成形金型も複雑にならず製造コストも嵩まない。なお、上記補完部材として、例えば、給湯・給水・排水ホースの取り付け用アダプタ、シャワーノズル取り付け用アダプタ、ヘッドレスト （ピロー）、アームレスト、フットレスト、手すり・ステップ等の支持具、タンカ固定器具等がある。
【００２２】
本発明による組み立て式簡易貯液槽用枠体は、その外周上面に設けられた嵌合部を備えて人体が収まる程度の組み立て式簡易貯液槽を構成可能な枠体であって、前記枠体の嵌合部と嵌合部材とが分離可能な嵌合構造により嵌合したとき、前記枠体と前記嵌合部材との間に配置された防水シートが前記嵌合構造により固定され前記枠体と一体になって貯液可能な貯液部を構成可能であり、前記枠体は少なくとも２つの分割枠体から構成され、前記各分割枠体が分離可能な分割嵌合構造により嵌合することで接合され一体化することを特徴とする。
【００２３】
この組み立て式簡易貯液槽用枠体によれば、枠体を分離可能な分割嵌合構造で少なくとも２つの分割枠体から組み立てることができるので、貯液槽の使用時に組み立て、運搬や保管のような非使用時には分割できる。このように組み立て式簡易貯液槽用枠体を小さく分割できるので、成形金型が大型化せずに組み立て式簡易貯液槽用枠体の製造コストを抑えることができ、また、枠体の運搬や保管のスペースが節約でき、運搬や保管が容易になる。
【００２４】
本発明による組み立て式簡易貯液槽は、上述の組み立て式簡易貯液槽用枠体から第１の枠体と第２の枠体を構成し、前記第１の枠体の上に前記防水シートを被せ前記第２の枠体を前記嵌合部材として前記嵌合構造により前記防水シートを固定することで前記貯液部を構成したことを特徴とする。これにより、上述の組み立て式簡易貯液槽用枠体から組み立て式簡易貯液槽を構成できる。
【００２５】
また、本発明による組み立て式簡易貯液槽は、上述の組み立て式簡易貯液槽用枠体を用いて前記防水シートが前記嵌合構造により固定されて前記枠体及び前記嵌合部材と一体になって貯液部を構成するようにしてもよい。
【００２６】
なお、上記組み立て式簡易貯液槽は、上述の組み立て式簡易浴槽と同様に構成してもよい。
【００２７】
本発明による分割枠体は、上述の組み立て式簡易浴槽用枠体の前記分割枠体または上述の組み立て式簡易貯液槽用枠体を構成可能な前記分割枠体のいずれかである。この分割枠体により組み立て式簡易浴槽用枠体や組み立て式簡易貯液槽用枠体を構成できるので、成形金型が大型化せずに枠体の製造コストを抑えることができ、また、枠体の運搬や保管のスペースが節約できるので、運搬や保管が容易になる組み立て式簡易浴槽用枠体や組み立て式簡易貯液槽用枠体を実現できる。この場合、樹脂と一体に形成する場合や嵌め込み部材を設ける場合以外は、分割枠体の表面にコーティング処理を施すことが好ましい。
【００２８】
本発明による分割枠体の製造方法は、上述の組み立て式簡易浴槽用枠体や組み立て式簡易貯液槽用枠体の前記分割枠体を成形により発泡樹脂から形成することを特徴とする。この製造方法により、組み立て式簡易浴槽用枠体や組み立て式簡易貯液槽用枠体のための分割枠体を製造コストを抑えて製造できる。
【００２９】
また、上述の組み立て式簡易浴槽用枠体や組み立て式簡易貯液槽用枠体の前記分割枠体をスーパーブロー成形または成形金型同時成形によりその表面部分が樹脂と一体に形成されるように成形するようにして製造することで、表面に特別なコーティングが不要である分割枠体を製造できる。
【発明の効果】
【００３０】
本発明によれば、製造コストを抑えることができ、運搬や保管が容易になる組み立て式簡易浴槽を構成可能な組み立て式簡易浴槽用枠体、組み立て式簡易浴槽、組み立て式簡易貯液槽用枠体、組み立て式簡易貯液槽、それらの枠体を構成可能な分割枠体、及び分割枠体の製造方法を提供できる。
【発明を実施するための最良の形態】
【００３１】
以下、本発明を実施するための最良の形態について図面を用いて説明する。図１は本実施の形態による組み立て式簡易浴槽用枠体の分割枠体の第１の例を示す平面図である。図２は同じく分割枠体の第２の例を示す平面図である。
【００３２】
図１の例は、組み立て式簡易浴槽用枠体を２分割したものであり、分割枠体１，２は、両者が同形状に構成され、各一端部１ａ、２ａに凹部１１がそれぞれ形成され、各他端部１ｂ、２ｂに凸部１２がそれぞれ形成されている。凹部１１と凸部１２は凹凸嵌合可能でかつ分離可能な分割凹凸嵌合構造を構成する。一端部１ａと他端部２ｂとを対向させ、一端部２ａと他端部１ｂとを対向させて、凹部１１と凸部１２をそれぞれ嵌合させることで分割枠体１と２を接合し一体化し、組み立て式簡易浴槽用の１つの枠体を構成できる。また、一端部１ａと他端部２ｂの接合部及び一端部２ａと他端部１ｂの接合部において嵌合した凹部１１と凸部１２をそれぞれ分離させることで、枠体を分割枠体１と２に分離できる。
【００３３】
なお、分割枠体１と２からなる枠体の上面の略中央には外周に沿って凸状の嵌合部１３が形成され、下面の略中央には外周に沿って凸状の嵌合部１３と嵌合可能な凹状の嵌合部１４（図３，図４参照）が形成されている。
【００３４】
図２の例も組み立て式簡易浴槽用枠体を２分割したものであり、図２の分割枠体３，４は、両者が同形状に構成され、各一端部３ａ、４ａに凹部１１がそれぞれ形成され、各他端部３ｂ、４ｂに凸部１２がそれぞれ形成されている。一端部３ａと他端部４ｂとを対向させ、一端部４ａと他端部３ｂとを対向させて、凹部１１と凸部１２をそれぞれ嵌合させて分割凹凸嵌合構造により分割枠体３と４を接合し一体化し、組み立て式簡易浴槽用の１つの枠体を構成できる。一端部３ａと他端部４ｂの接合部と一端部４ａと他端部３ｂの接合部の各位置が、図１の場合と比べて、図２の左右にずれて形成されるようになっている。
【００３５】
上述の分割枠体１，２は、図１のように同一形状であるので成形金型は１つで済む。同様に、分割枠体３，４は、図２のように同一形状であるので成形金型は１つで済む。従って、１つの成形金型で製造できるため、枠体の製造コストを抑えることができる。
【００３６】
上述の分割枠体１，２及び分割枠体３，４は、例えば、発泡ポリスチレン樹脂、発泡ポリウレタン樹脂、ポリエチレン発泡樹脂、ポリプロピレン発泡樹脂等の発泡樹脂から成形金型で一体に成形できる。また、非透水性樹脂により分割枠体の表面部分にコーティング処理を施すことが望ましく、かかる非透水性樹脂として例えば、エフレタンＳＨ−４０００（日本合成化学工業株式会社製の商品名）やウルトラタン・スタイロタン（米国フツラコーティング社製の商品名）などがある。
【００３７】
また、分割枠体をスーパーブロー成形による金型同時成形等によりそれらの表面部分を例えばＡＢＳ樹脂などの樹脂材料により一体に形成するようにしてもよい。これにより、内部を発泡樹脂とし表面を樹脂とした分割枠体を得ることができ、上述のようなコーティング処理が不要となる。
【００３８】
また、図１３のように、発泡樹脂等からなる図１，図２の分割枠体１〜４の外面の一部または全面を樹脂ソリッド等からなる嵌め込み部材で覆うようにしてもよい。図１３（ａ）は分割枠体１の凹状の嵌合部１４を含む下面に嵌め込み部材６１を嵌め込んだ例である。分割枠体１の下面以外には上述のコーティング処理を施す。
【００３９】
図１３（ｂ）は分割枠体１の凹状の嵌合部１４を含む下面に嵌め込み部材６１を嵌め込み、凸状の嵌合部１３を含む上面に別の嵌め込み部材６２を嵌め込んだ例である。分割枠体１の下面・上面以外の両側面は上述のコーティング処理を施す。
【００４０】
図１３（ｃ）は分割枠体１の凹状の嵌合部１４を含む下面に嵌め込み部材６１を嵌め込み、凸状の嵌合部１３を含む上面及び両側面に別の嵌め込み部材６３を嵌め込んだ例である。
【００４１】
図１３（ｄ）は分割枠体１の凹状の嵌合部１４を含む下面及び両側面の下半分の下方部に嵌め込み部材６４を嵌め込み、凸状の嵌合部１３を含む上面及び両側面の上半分の上方部に別の嵌め込み部材６５を嵌め込んだ例である。
【００４２】
図１３（ａ）〜（ｄ）の嵌め込み部材６１〜６５は、樹脂塗料から形成でき、例えばウレタン系樹脂塗料を、分割枠体１と同形状とした母型に所定厚さにコーティングし、乾燥後に母型から剥がす型抜き成形で簡単に得ることができる。かかるウレタン系樹脂塗料として例えば上述のウルトラタン（商品名）などがある。嵌め込み部材６１〜６５の厚さは、例えば０．５〜１ｍｍ程度にできるが、コーティング量により適宜調整可能である。なお、嵌め込み部材は、押し出し成形や射出成形やブロー成形等により成形金型で樹脂から成形してもよい。
【００４３】
図１３（ａ）〜（ｄ）の構成によれば、上述のようなコーティング処理が一部または全部不要となる。また、凸状の嵌合部１３及び凹状の嵌合部１４の少なくとも一方に嵌め込み部材を設けることで凹凸嵌合の精度をより高めることができる。
【００４４】
また、分割枠体１を図１４のような中空構造としてもよく、軽量に構成できかつ樹脂を節約できる。図１４のように、下半分の下側部７と、上半分の上側部８とを樹脂で成形によりそれぞれ作製し、下側部７と上側部８とを合わせ面９で接着材等により接合することで中空の分割枠体１を得ることができる。
【００４５】
次に、図１，図２の分割凹凸嵌合構造を構成する凹部１１と凸部１２の具体例について図３を参照して説明する。図３は凹部１１と凸部１２の嵌合前の状態を示す要部斜視図（ａ）、嵌合後の状態を示す要部斜視図（ｂ）、凹部１１と凸部１２の嵌合前の状態を示す要部上面図（ｃ）及び要部側面図（ｄ）である。
【００４６】
図３（ａ）〜（ｄ）の例は分割枠体を横方向に凹凸嵌合させるものであって、凹部１１が分割枠体１の側面１ｃ及び一端部１ａに開口しそこから凹むようにして側面から見て略Ｚ字状に形成され、また、凸部１２が分割枠体２の側面２ｃと同一平面を有し他端部２ｂから突き出るようにして側面から見て略Ｚ字状に形成されている。
【００４７】
図３（ａ）のように分割枠体２を側面から横方向に分割枠体１の側面１ｃに向けて接近させて凸部１２を凹部１１に差し込むようにして嵌め込むことで凹凸嵌合し、図３（ｂ）のように分割枠体１と２を一端部１ａと他端部２ｂとで接合し、強固な略Ｚ状凹凸嵌合により一体化する。
【００４８】
なお、図１の分割枠体１と２の他端部１ｂと一端部２ａも図３と同様に構成され凹凸嵌合する。また、図２の分割枠体３と４の各凹部と各凸部を図３と同様の構造にできる。
【００４９】
図４により別の分割凹凸嵌合構造を説明する。図４は凹部１１と凸部１２の嵌合前の状態を示す要部斜視図（ａ）、嵌合後の状態を示す要部斜視図（ｂ）、凹部１１と凸部１２の嵌合前の状態を示す要部上面図（ｃ）及び要部側面図（ｄ）である。
【００５０】
図４（ａ）〜（ｄ）の例は分割枠体を縦方向に凹凸嵌合させるものであって、凹部１１が分割枠体１の下面に形成された凹状の嵌合部１４（凸状の嵌合部１３に嵌合可能）の底部及び一端部１ａに開口しそこから凹むようにして上面から見て略Ｚ字状に形成され、また、凸部１２が分割枠体２の他端部２ｂから突き出るようにして上面から見て略Ｚ字状に形成されている。
【００５１】
図４（ａ）のように分割枠体２を下側から縦方向上方に分割枠体１の下面の凹状の嵌合部１４に向けて接近させて凸部１２を凹部１１に差し込むようにして嵌め込むことで凹凸嵌合し、図４（ｂ）のように分割枠体１と２を一端部１ａと他端部２ｂとで接合し強固な略Ｚ状凹凸嵌合により一体化する。
【００５２】
なお、図１の分割枠体１と２の他端部１ｂと一端部２ａも図４と同様に構成され凹凸嵌合する。また、図２の分割枠体３と４の各凹部１１と各凸部１２を図４と同様の構造にできる。
【００５３】
次に、図３，図４と同様に凹凸嵌合させる分割凹凸嵌合構造の４つの変形例について図５（ａ）（ｂ），図６（ａ）（ｂ）を参照して説明する。図５（ａ）は図４の変形例を示す図であり、縦方向の分割凹凸嵌合構造の凹部１１と凸部１２の嵌合前の状態を示す要部上面図であり、図５（ｂ）は図３の変形例を示す図であり、横方向の分割凹凸嵌合構造の凹部１１と凸部１２の嵌合前の状態を示す要部側面図である。
【００５４】
図５（ａ）の例は、凹部１１の形状を奥側に丸みを帯びて広がる略Ｓ字状の凹状に形成し、凸部１２の形状を先端側に丸みを帯びて大きくなる略Ｓ字状の凸状に形成し、分割枠体２と分割枠体１とを縦方向に接近させて凸部１２を凹部１１に差し込むようにして嵌め込むことで、強固な略Ｓ状の凹凸嵌合を構成するものである。
【００５５】
図５（ｂ）の例は、図５（ａ）と同様の略Ｓ字状の凹部１１を有する分割枠体１と、略Ｓ字状の凸部１２を有する分割枠体２とを横方向に接近させて凸部１２を凹部１１に差し込むようにして嵌め込むことで、強固な略Ｓ状の凹凸嵌合を構成するものである。
【００５６】
図６（ａ）は図４の別の変形例を示す図であり、縦方向の分割凹凸嵌合構造の凹部１１と凸部１２の嵌合前の状態を示す要部上面図であり、図６（ｂ）は図３の別の変形例を示す図であり、横方向の分割凹凸嵌合構造の凹部１１と凸部１２の嵌合前の状態を示す要部側面図である（ｂ）である。
【００５７】
図６（ａ）の例は、凹部１１の形状を上面から見て略Ｔ字状の凹状に形成し、凸部１２の形状を上面から見て略Ｔ字状の凸状に形成し、分割枠体２と分割枠体１とを縦方向に接近させて凸部１２を凹部１１に差し込むようにして嵌め込むことで、強固な略Ｔ状の凹凸嵌合を構成するものである。
【００５８】
図６（ｂ）の例は、図６（ａ）と同様の略Ｔ字状の凹部１１を有する分割枠体１と、略Ｔ字状の凸部１２を有する分割枠体２とを横方向に接近させて凸部１２を凹部１１に差し込むようにして嵌め込むことで、強固な略Ｓ状の凹凸嵌合を構成するものである。
【００５９】
次に、図１の分割枠体と図３の分割凹凸嵌合構造とから構成した２つの枠体を重ねて嵌合して組み立てた簡易浴槽の第１の例について図７を参照して説明する。図７は図１，図３の分割枠体から構成した２つの枠体を上下に重ねて嵌合して組み立てた簡易浴槽を示す斜視図（ａ）及び側面図（ｂ）である。
【００６０】
図７の簡易浴槽は、図３の横方向に凹部１１と凸部１２を嵌合させる分割凹凸嵌合構造を有するように構成した図１の分割枠体１，２から枠体２１，２２を構成し、２つの枠体２１と２２を上下に重ねて下側の枠体２１の凸状の嵌合部１３を上側の枠体２２の凹状の嵌合部１４に嵌合させることで組み立てたものである。下側の枠体２１を覆うようにして防水シート（図２０参照）が配置されてから上側の枠体２２が嵌め込まれる。枠体２１と２２との間の接合面２０に防水シートが位置し固定されて上側の枠体２２内に浴槽部が構成される。
【００６１】
また、図７（ａ）、（ｂ）の簡易浴槽では、各枠体２１，２２において各分割枠体１と２が凹部１１と凸部１２とにより凹凸嵌合して接合した接合部２１ａと２２ａが一長辺側の同じ位置にあり、接合部２１ｂと２２ｂが浴槽部を挟んで反対の他の長辺側の同じ位置にある。
【００６２】
また、図７のように組み立てられた簡易浴槽は、２つの枠体２１と２２を凹凸嵌合から分離し防水シートを取り去り、各枠体２１，２２を凹凸嵌合から分離し、分割枠体１，２にそれぞれ分割できる。
【００６３】
以上のように、本実施の形態の図７の組み立て式簡易浴槽によれば、簡易浴槽用枠体を従来のような人体程度が収まる枠体よりも小さく分割でき、成形金型が大型化せずに組み立て式簡易浴槽用枠体の製造コストを抑えることができるので、組み立て式簡易浴槽のコスト減を実現できる。また、簡易浴槽用枠体の運搬や保管のスペースを節約できるので、運搬や保管が容易になる。
【００６４】
次に、図２の分割枠体と図３の分割凹凸嵌合構造とから構成した２つの枠体を重ねて嵌合して組み立てた簡易浴槽の第２の例について図８を参照して説明する。図８は図２、図３の分割枠体から構成した枠体と別の枠体とを上下に重ねて嵌合して組み立てた簡易浴槽を示す斜視図（ａ）及び側面図（ｂ）である。
【００６５】
図８の簡易浴槽は、図３の横方向に凹部１１と凸部１２を嵌合させる分割凹凸嵌合構造を有するように構成した図２の分割枠体３，４から枠体２３を構成し、もう１つの枠体２４を枠体２３に対し接合部の位置がずれるように別途用意した２つの分割枠体から構成し、これら２つの枠体２３と２４を上下に重ねて下側の枠体２３の凸状の嵌合部１３を上側の枠体２４の凹状の嵌合部１４に嵌合させることで組み立てたものである。下側の枠体２３を覆うようにして防水シート（図２０参照）が配置されてから上側の枠体２４が嵌め込まれる。枠体２３と２４との間の接合面２０に防水シートが位置し固定されて上側の枠体２４内に浴槽部が構成される。
【００６６】
図８（ａ）、（ｂ）の簡易浴槽では、各枠体２３，２４において各分割枠体３と４が凹部１１と凸部１２とにより凹凸嵌合して接合した接合部２３ａと２４ａが同じ一長辺側にあるが、その長辺長手方向にずれており、また接合部２３ｂと２４ｂが浴槽部を挟んで反対側の同じ他長辺側にあるが、その長辺長手方向にずれている。
【００６７】
また、図８のように組み立てられた簡易浴槽は、２つの枠体２３と２４を凹凸嵌合から分離し防水シートを取り去り、次に各枠体２３，２４を凹凸嵌合から分離し、分割枠体３，４にそれぞれ分割できる。
【００６８】
以上のように、本実施の形態の図８の組み立て式簡易浴槽によれば、簡易浴槽用枠体を従来のような人体程度が収まる枠体よりも小さく分割でき、成形金型が大型化せずに組み立て式簡易浴槽用枠体の製造コストを抑えることができるので、組み立て式簡易浴槽のコスト減を実現できる。また、簡易浴槽用枠体の運搬や保管のスペースを節約できるので、運搬や保管が容易になるとともに、接合部２３ａと２４ａ、及び、接合部２３ｂと２４ｂが上下の枠体２３，２４において長辺長手方向にずれて同じ位置にならないので、組み立てられた簡易浴槽において上方からの力に対する強度が大きくなる。
【００６９】
上述の図７または図８の簡易浴槽は、使用前に簡単に組み立てることができるとともに、使用後に簡単に小さく分解でき、運搬や保管が容易になるので、例えば、介護サービス者が上述の分割枠体を含む組み立て式簡易浴槽用のセット１式を被介護者の自宅に運んで行う入浴サービスに用いて好適である。
【００７０】
なお、防水シートとして、例えば、ポリエチレン樹脂、ポリプロピレン樹脂、ポリオレフィン樹脂、ポリ塩化ビニル樹脂、フッ素含有重合体樹脂、エチレン−酢酸ビニル共重合体樹脂、ポリエステル樹脂、ポリアミド樹脂、シリコン樹脂、ポリウレタン樹脂、ポリアクリル樹脂などの素材をフィルム状にしたものを使用できる。
【００７１】
次に、組み立て式簡易浴槽用枠体を更に多分割した変形例について図９，図１０を参照して説明する。図９は本実施の形態による組み立て式簡易浴槽用枠体を図１，図２よりも更に多分割に構成した変形例を示す平面図である。図１０は図９の直線分割枠体を示す斜視図（ａ）及び上面図（ｂ）である。
【００７２】
図９の例は、組み立て式簡易浴槽用枠体を６分割したものであり、２つのコーナ部を含むコーナ分割枠体４１、４２と、直線状に延びる比較的長い第１直線分割枠体４３、４５と、直線状に延びる比較的短い第２直線分割枠体４４、４６と、から構成されている。コーナ分割枠体４１と４２は同一形状であり、第１直線分割枠体４３と４５も同一形状であり、更に第２直線分割枠体４４と４６は同一形状である。各分割枠体４１〜４６は、それぞれ一端側に凹部１１を、他端側に凸部１２を有し、上述と同様にそれぞれが凹凸嵌合することで接合し一体化し、１つの枠体を構成することができる。
【００７３】
２つのコーナ分割枠体４１と４２との間に、図９の上側の長辺側に第１直線分割枠体４３と第２直線分割枠体４４が位置し、下側の長辺側に第２直線分割枠体４６と第１直線分割枠体４５が位置する。図９の枠体では凹凸嵌合による接合部が６箇所形成されるが、各枠体を上下に重ねて簡易浴槽を構成するとき、各長辺において第１直線分割枠体と第２直線分割枠体の配置を変えることで各接合部の位置が上下で長辺長手方向にずれるので、組み立てられた簡易浴槽において上方からの力に対する強度を大きくできる。
【００７４】
次に、図９における分割凹凸嵌合構造のための凹部と凸部について説明する。図１０（ａ）、（ｂ）のように、例えば第２直線分割枠体４４は、凹部１１が下面に形成された凹状の嵌合部１４の底部及び一端部４４ａに開口しそこから凹むようにして上面から見て略Ｚ字状に形成され、また、凸部１２が他端部４４ｂから突き出るようにして上面から見て略Ｚ字状に形成されている。
【００７５】
図９のコーナ分割枠体４１，４２及び直線分割枠体４３〜４６の各凹部１１と各凸部１２は図１０（ａ）、（ｂ）のように構成され、各分割枠体４１〜４６を図４（ａ）と同様に、縦方向に凹凸嵌合させることで、強固な略Ｚ状凹凸嵌合により一体化できる。なお、図９において、図３，図５または図６のような凹凸嵌合構造にしてもよい。
【００７６】
図９の分割枠体の構成によれば、２分割の場合よりも成形金型を更に小さく構成できるとともに、６分割された各分割枠体を３つの成形金型で製造できるので、製造コストを抑えることができる。なお、図９において、例えば、図１５のように第１直線分割枠体４３，４５を省略することで、組み立て式簡易浴槽用枠体の長さを短く調整できる。また、別の例えば第２直線分割枠体を新たに加えることで長く調整できる。このようにして入浴者の体型に応じて組み立て式簡易浴槽用枠体の長さのサイズを調整可能である。
【００７７】
次に、組み立て式簡易浴槽用枠体を別の態様で多分割した別の変形例について図１６，図１７を参照して説明する。図１６は本実施の形態の別の変形例を示す平面図である。図１７は図１６の枠体に直線分割枠体を追加した例を示す平面図である。
【００７８】
図１６の例は、それぞれがコーナ部を含むように４分割したコーナ分割枠体６８乃至７１から構成される。各コーナ分割枠体６８〜７１は同一の構成であるので、組み立てられた枠体の平面構造はほぼ正四角形になり、また、１つの成形金型で製造できるため、枠体の製造コストを抑えることができる。なお、各凹部１１と各凸部１２は上述と同様の凹凸嵌合構造である。また、コーナ分割枠体６８〜７１の上面の凸状の嵌合部１３及び下面の凹状の嵌合部も上述と同様の凹凸嵌合構造である。
【００７９】
図１７の例は、図１６のコーナ分割枠体６８と６９との間に図９の直線分割枠体４３を介在させ、コーナ分割枠体７０と７１との間に同様の直線分割枠体４５を介在させたものである。このようにして、図１６の枠体構成を直線分割枠体を新たに加えることで長く調整できる。
【００８０】
次に、組み立て式簡易浴槽用枠体を更に別の態様で多分割した更に別の変形例について図１８，図１９を参照して説明する。図１８は本実施の形態の更に別の変形例を示す平面図である。図１９は図１８の枠体に直線分割枠体を追加した例を示す平面図である。
【００８１】
図１８の例は、それぞれがコーナ部を含むコーナ分割枠体７３乃至７６と、各コーナ分割枠体７３〜７６の間にそれぞれ配置された比較的短い直線分割枠体７７乃至８０とから構成され、８分割されたものである。各コーナ分割枠体７３〜７６は同一の構成であり直線分割枠体７７〜８０も同一の構成であるので、組み立てられた枠体の平面構造はほぼ正四角形になる。なお、各凹部１１と各凸部１２は上述と同様の凹凸嵌合構造である。また、各分割枠体７３〜８０の上面の凸状の嵌合部１３及び下面の凹状の嵌合部も上述と同様の凹凸嵌合構造である。
【００８２】
図１９の例は、図１８の枠体に直線分割枠体７７〜８０と同一構成の複数の直線分割枠体８１を一辺に追加し、同じく対向する他辺に直線分割枠体７７〜８０と同一構成の複数の直線分割枠体８２を追加したものである。図１９によれば、図１８の枠体構成を直線分割枠体を新たに加えることで長く調整できる。
【００８３】
上述のように、図１８、図１９の構成によれば、直線分割枠体を比較的短く構成したので、直線分割枠体の追加または削減により、入浴者の体型に応じて組み立て式簡易浴槽用枠体の長さや幅のサイズを比較的細かく調整可能である。また、２つの成形金型で製造でき、しかも各分割枠体が比較的小さく、成形金型も大型化しないため、枠体の製造コストを抑えることができる。
【００８４】
次に、図７または図８のように構成された簡易浴槽に浴槽の機能を補完するための各種アタッチメントを着脱自在にした構成について図１１、図１２を参照して説明する。図１１は、図７または図８の簡易浴槽に複数のアタッチメントを取り付けた状態を示す斜視図である。図１２は、図１１の簡易浴槽に入浴し各アタッチメントを使用した状態を示す斜視図である。
【００８５】
図１１，図１２に示すように、簡易浴槽５０には、浴槽機能を補完するためのアタッチメント（補完部材）として、入浴者Ｐの頭部を受けるヘッドレスト５１，腕を受けるアームレスト５２，両脚を受けるフットレスト５３及び給湯・給水・排水ホース５５の取り付け用アダプタ５４を取り付けたものである。各アタッチメント５１〜５４の下部には、枠体の外周上面にある凸状の嵌合部１３に嵌合し嵌合部１３から分離可能な凹状の嵌合部がそれぞれ形成されており、各アタッチメント５１〜５４は簡易浴槽５０の上面において着脱自在になっている。
【００８６】
なお、簡易浴槽５０は、図７または図８と同様に構成できるが、図４，図５または図６の分割凹凸嵌合構造や図９や図１５〜図１９の分割枠体を用いて構成した簡易浴槽であってもよい。
【００８７】
また、上述のアタッチメント（補完部材）として、他の機能を持つものであってもよく、例えば、シャワーノズル取り付け用アダプタ、手すり・ステップ等の支持具、タンカ固定器具等があるが、これらに限定されるものではない。
【００８８】
図１１，図１２の簡易浴槽によれば、各種のアタッチメントにより簡易浴槽の使用感が増して好ましく、かかるアタッチメントは枠体の外周上面の嵌合部１３に対し着脱自在であるので、アタッチメントを必要に応じて自由に使用でき、また、運搬やそうじの手軽さも得ることができ、便利である。また、組み立て式簡易浴槽用枠体の構造が複雑になることがなく、成形金型も複雑にならずに製造コストも嵩まない。
【００８９】
次に、図２１、図２２により、図２，図３とほぼ同様の分割枠体を用いた１つの枠体とリング状の嵌合部材とを防水シートとともに一体にした簡易浴槽について説明する。図２１は、図２，図３とほぼ同様の分割枠体を嵌合により接合し一体化した枠体に嵌合部材を嵌合させて組み立てる前の簡易浴槽を示す斜視図（ａ）及び組立後の簡易浴槽を示す斜視図（ｂ）である。図２２は、図２１（ａ）の簡易浴槽の断面図（ａ）及び図２１（ｂ）の簡易浴槽の断面図（ｂ）である。
【００９０】
図２１（ａ）、（ｂ）の分割枠体１０１，１０２は、図２と同様に構成されており、凹部１１と凸部１２をそれぞれ嵌合させて分割凹凸嵌合構造により接合され一体化しており、組み立て式簡易浴槽用の１つの枠体を構成するが、図２２（ａ）のように、枠体上面の略中央には外周に沿って凹状の嵌合部１０３が形成されており、この凹状の嵌合部１０３にリング状の嵌合部材１０５が嵌合可能になっている点が図２と異なる。なお、枠体下面の略中央には外周に沿って凹状の嵌合部１０４が形成されている。
【００９１】
図２１（ｂ）、図２２（ｂ）のように、簡易浴槽は、凹状の嵌合部１０３とリング状の嵌合部材１０５との間に防水シート（図示省略）を挟んで凹状の嵌合部１０３にリング状の嵌合部材１０５を押し込んで嵌合させることで、防水シートを固定する構造となっている。
【００９２】
図２１，図２２の簡易浴槽によれば、分割枠体からなる１つの枠体にリング状の嵌合部材を防水シートを挟んで固定することで簡易浴槽を構成できるので、簡易浴槽がより簡単な構造となる。
【００９３】
なお、リング状の嵌合部材１０５は図２２のように断面円形状であるが、図２３（ａ）のように、断面長円状の嵌合部材１０６としてもよい。この場合、図２３（ｂ）のように、嵌合部材１０６が枠体に嵌合したとき、略上半分の部分１０６ａが枠体上面から突き出るようにし、この部分１０６ａに図１１，図１２のような各アタッチメント５１〜５４が嵌合可能となる。また、リング状の嵌合部材１０５を枠体下側の凹状の嵌合部１０４に嵌め込んでもよく、強度が向上する（後述の図２４（ｃ）参照）。
【００９４】
また、図２２，図２３のリング状の嵌合部材１０５，１０６は、ゴム材料等からなる弾性部材であってよいが、樹脂材料等からなる硬質部材であってもよく、また、一体に形成する必要は必ずしもなく、２つまたはそれ以上に分割してもよい。
【００９５】
次に、図２４により、図２１とほぼ同様であるが分割凹凸嵌合構造を省略した分割枠体を用いた１つの枠体とリング状の嵌合部材とを防水シートとともに一体にした簡易浴槽について説明する。図２４は、図２１で分割凹凸嵌合構造を省略した分割枠体からなる枠体に嵌合部材を嵌合させて組み立てた簡易浴槽を示す斜視図（ａ）、図２４（ａ）の簡易浴槽の組立前の断面図（ｂ）、及び組立後の断面図（ｃ）である。
【００９６】
図２４（ａ）〜（ｃ）の簡易浴槽は、図２１において分割枠体の分割凹凸嵌合構造のための凹部と凸部を省略し、枠体の上下でリング状の嵌合部材を嵌合させたものである。即ち、図２４（ａ）のように、分割枠体１１１，１１２は、両端に平面状に構成された接合部１１１ａ，１１１ｂ，１１２ａ，１１２ｂを有しており、簡易浴槽は、接合部１１１ａと１１２ａとが、接合部１１１ｂと１１２ｂとが、それぞれ平面的に突き当てられて枠体が構成され、枠体の上下の凹状の嵌合部１０３、１０４にそれぞれリング状の嵌合部材１０５を嵌め込んだものである。凹状の嵌合部１０３とリング状の嵌合部材１０５との間に防水シート（図示省略）が挟まれている。
【００９７】
図２４の簡易浴槽によれば、分割枠体からなる１つの枠体にリング状の嵌合部材を防水シートを挟んで固定することで簡易浴槽を構成できるので、簡易浴槽がより簡単な構造となるとともに、分割枠体の接合部から凹部、凸部を省略でき、接合部を平面状に構成できるので、分割枠体の成形金型がより簡単な構造となり、そのため、製造コストを低減できる。また、分割枠体の凹部、凸部を省略しても、枠体の上下の凹状の嵌合部１０３、１０４にリング状の嵌合部材１０５をそれぞれ嵌め込むので、枠体自体の強度も維持でき、強度的にも問題はない。
【００９８】
なお、図２３（ａ）、（ｂ）のような断面長円状のリング状の嵌合部材１０６を枠体上面の凹状の嵌合部１０３に用いてもよい。
【００９９】
次に、図２５により、図８の枠体における分割枠体の凹部と凸部を省略し平面的に接合した枠体同士をリング状の嵌合部材で一体化した簡易浴槽について説明する。図２５は、図８で分割凹凸嵌合構造及び嵌合部を省略した分割枠体からなる枠体同士を嵌合部材で嵌合させて組み立てた簡易浴槽を示す斜視図（ａ）、図２５（ａ）の簡易浴槽の組立前の断面図（ｂ）、及び組立後の断面図（ｃ）である。
【０１００】
図２５（ａ）〜（ｃ）のように、上下の枠体２０４，２０３は、それぞれ分割枠体２０１，２０２から構成され、リング状の嵌合部材２０５により防水シート（図示省略）を挟んで嵌合し一体化して簡易浴槽を構成可能である。分割枠体２０１，２０２は、図２４（ａ）と同様に、分割凹凸嵌合構造のための凹部と凸部を省略し、両端の接合部が平面状に構成されている。
【０１０１】
図２５（ｂ）、（ｃ）のように、リング状の嵌合部材２０５は、断面がＨ型に構成され、枠体２０４の下側部分が嵌合可能な上側嵌合部２０５ａと、枠体２０３の上側部分が嵌合可能な下側嵌合部２０５ｂと、を有し、上側嵌合部２０５ａに枠体２０４が嵌合し、下側嵌合部２０５ｂに枠体２０３が嵌合することで、枠体２０３，２０４が一体化する。
【０１０２】
図２５の簡易浴槽によれば、分割枠体の接合部から凹部、凸部を省略でき、接合部を平面状に構成できるとともに、枠体上下の嵌合部も省略できるので、分割枠体の成形金型がより簡単な構造となり、そのため、製造コストを低減できる。なお、リング状の嵌合部材２０５は、ゴム材料等からなる弾性部材や樹脂材料から構成でき、また、２つまたはそれ以上に分割してもよい。
【０１０３】
以上のように本発明を実施するための最良の形態について説明したが、本発明はこれらに限定されるものではなく、本発明の技術的思想の範囲内で各種の変形が可能である。例えば、本実施の形態の簡易浴槽は、介護の必要な被介護者の入浴サービスに用いて好適であるが、この用途に限定されず、簡易に浴槽を設置できることから、各種の用途に用いてよく、例えば、キャンプ場や災害等の非常時においても使用可能である。また、同様の分割構造により、特に浴槽としてではなくとも、必要に応じて各種液体を貯蔵できる組み立て式簡易貯液槽を構成できる。
【０１０４】
また、例えば、組み立て式簡易浴槽用枠体の長さを長く調整するのに、図１，図２において、分割枠体１と２との間に、または、分割枠体３と４との間に、直線分割枠体を介在させてもよいことは勿論である。
【０１０５】
また、図７，図８，図１１，図１２，図２５のように、２つの枠体を重ねる場合、その重なり合って接合する各枠体の接合面を階段状にそれぞれ構成してもよい。
【図面の簡単な説明】
【０１０６】
【図１】本実施の形態による組み立て式簡易浴槽用枠体の分割枠体の第１の例を示す平面図である。
【図２】本実施の形態による組み立て式簡易浴槽用枠体の分割枠体の第２の例を示す平面図である。
【図３】図１，図２の分割凹凸嵌合構造を構成する凹部１１と凸部１２の嵌合前の状態を示す要部斜視図（ａ）、嵌合後の状態を示す要部斜視図（ｂ）、凹部１１と凸部１２の嵌合前の状態を示す要部上面図（ｃ）及び要部側面図（ｄ）である。
【図４】図３とは別の分割凹凸嵌合構造を示し、凹部１１と凸部１２の嵌合前の状態を示す要部斜視図（ａ）、嵌合後の状態を示す要部斜視図（ｂ）、凹部１１と凸部１２の嵌合前の状態を示す要部上面図（ｃ）及び要部側面図（ｄ）である。
【図５】図５（ａ）は図４の変形例を示す図であり、縦方向の分割凹凸嵌合構造の凹部１１と凸部１２の嵌合前の状態を示す要部上面図であり、図５（ｂ）は図３の変形例を示す図であり、横方向の分割凹凸嵌合構造の凹部１１と凸部１２の嵌合前の状態を示す要部側面図である。
【図６】図６（ａ）は図４の別の変形例を示す図であり、縦方向の分割凹凸嵌合構造の凹部１１と凸部１２の嵌合前の状態を示す要部上面図であり、図６（ｂ）は図３の別の変形例を示す図であり、横方向の分割凹凸嵌合構造の凹部１１と凸部１２の嵌合前の状態を示す要部側面図である（ｂ）である。
【図７】図１，図３の分割枠体から構成した２つの枠体を上下に重ねて嵌合して組み立てた簡易浴槽を示す斜視図（ａ）及び側面図（ｂ）である。
【図８】図２、図３の分割枠体から構成した枠体と別の枠体とを上下に重ねて嵌合して組み立てた簡易浴槽を示す斜視図（ａ）及び側面図（ｂ）である。
【図９】本実施の形態による組み立て式簡易浴槽用枠体を図１，図２よりも更に多分割に構成した変形例を示す平面図である。
【図１０】図９の直線分割枠体を示す斜視図（ａ）及び上面図（ｂ）である。
【図１１】図７または図８の簡易浴槽に複数のアタッチメントを取り付けた状態を示す斜視図である。
【図１２】図１１の簡易浴槽に入浴し各アタッチメントを使用した状態を示す斜視図である。
【図１３】図１，図２の分割枠体の外面の一部または全面を樹脂ソリッド等からなる嵌め込み部材で覆うようにした構成例（ａ）、（ｂ）、（ｃ）、（ｄ）を示す断面図である。
【図１４】図１，図２の分割枠体の内部を中空構造にした例を示す断面図である。
【図１５】図９の組み立て式簡易浴槽用枠体を短く構成した変形例を示す平面図である。
【図１６】本実施の形態の別の変形例を示す平面図である。
【図１７】図１６の枠体に直線分割枠体を追加した例を示す平面図である。
【図１８】本実施の形態の更に別の変形例を示す平面図である。
【図１９】図１８の枠体に直線分割枠体を追加した例を示す平面図である。
【図２０】特開２００３−１０２７８号公報に開示された組み立て式簡易浴槽の斜視図（ａ）、枠体の線Ａ−Ａに沿って切断してみた断面図（ｂ）、別の枠体の線Ｂ−Ｂに沿って切断してみた断面図（ｃ）である。
【図２１】図２とほぼ同様の分割枠体を嵌合により接合し一体化した枠体に嵌合部材を嵌合させて組み立てる前の簡易浴槽を示す斜視図（ａ）及び組立後の簡易浴槽を示す斜視図（ｂ）である。
【図２２】図２１（ａ）の簡易浴槽の断面図（ａ）及び図２１（ｂ）の簡易浴槽の断面図（ｂ）である。
【図２３】図２２のリング状嵌合部材の変形例を示す図２１（ａ）と同様の断面図（ａ）及び図２１（ｂ）と同様の断面図（ｂ）である。
【図２４】図２１で分割凹凸嵌合構造を省略した分割枠体からなる枠体に嵌合部材を嵌合させて組み立てた簡易浴槽を示す斜視図（ａ）、図２４（ａ）の簡易浴槽の組立前の断面図（ｂ）、及び組立後の断面図（ｃ）である。
【図２５】図８で分割凹凸嵌合構造及び嵌合部を省略した分割枠体からなる枠体同士を嵌合部材で嵌合させて組み立てた簡易浴槽を示す斜視図（ａ）、図２５（ａ）の簡易浴槽の組立前の断面図（ｂ）、及び組立後の断面図（ｃ）である。
【符号の説明】
【０１０７】
１，２ 分割枠体
１ａ，２ａ 一端部
１ｂ，２ｂ 他端部
３，４ 分割枠体
３ａ，４ａ 一端部
３ｂ，４ｂ 他端部
１１ 凹部
１２ 凸部
１３ 凸状の嵌合部
１４ 凹状の嵌合部
２０ 接合面
２１ 枠体
２２ 枠体
２１ａ，２２ａ 接合部
２１ｂ，２２ｂ 接合部
２３ 枠体
２４ 枠体
２３ａ，２４ａ 接合部
２３ｂ，２４ｂ 接合部
３３ 防水シート
４１，４２ コーナ分割枠体
４３，４５ 第１直線分割枠体
４４，４６ 第２直線分割枠体
４４ａ 一端部
４４ｂ 他端部
５０ 簡易浴槽
５１ ヘッドレスト
５２ アームレスト
５３ フットレスト
５４ 取り付け用アダプタ
５５ 排水ホース
６１〜６５ 嵌め込み部材
１０１，１０２ 分割枠体
１０３，１０４ 凹状の嵌合部
１０５，１０６ リング状の嵌合部材
１１１，１１２ 分割枠体
２０１，２０２ 分割枠体
２０３，２０４ 枠体
２０５ リング状の嵌合部材
【図１】
2006043441.tif 000003
【図２】
2006043441.tif 000004
【図３】
2006043441.tif 000005
【図４】
2006043441.tif 000006
【図５】
2006043441.tif 000007
【図６】
2006043441.tif 000008
【図７】
2006043441.tif 000009
【図８】
2006043441.tif 000010
【図９】
2006043441.tif 000011
【図１０】
2006043441.tif 000012
【図１１】
2006043441.tif 000013
【図１２】
2006043441.tif 000014
【図１３】
2006043441.tif 000015
【図１４】
2006043441.tif 000016
【図１５】
2006043441.tif 000017
【図１６】
2006043441.tif 000018
【図１７】
2006043441.tif 000019
【図１８】
2006043441.tif 000020
【図１９】
2006043441.tif 000021
【図２０】
2006043441.tif 000022
【図２１】
2006043441.tif 000023
【図２２】
2006043441.tif 000024
【図２３】
2006043441.tif 000025
【図２４】
2006043441.tif 000026
【図２５】
2006043441.tif 000027